(57)【要約】【課題】各汽力発電所に備えておくべき予備品の管理を一箇所で行って予備品の調達などを効率的に行うことができる汽力発電所予備品管理システムおよび方法を提供する。【解決手段】汽力発電所予備品管理システム１は、全社予備品管理装置１０と、全社予備品管理装置１０と通信回線５０を介して相互接続された汽力発電所予備品管理装置２０と、汽力発電所予備品管理装置２０と通信回線５０を介して相互接続された担当者端末装置３３とを具備する。全社予備品管理装置１０は、汽力発電所予備品管理装置２０から送信されてくる予備品登録届出書に記載されている予備品を汽力発電所ごとに全社予備品データベース１５に登録する予備品登録部１１と、汽力発電所予備品管理装置２０から送信されてくる予備品変更届出書に記載されている予備品を汎用変更品として汽力発電所ごとに汎用変更品データベース１６に登録する予備品変更部１２とを備える。【選択図】  図１
2006221318.tif 000002
【特許請求の範囲】
【請求項１】
全社予備品管理装置（１０）と、
該全社予備品管理装置と通信回線（５０）を介して相互接続された汽力発電所予備品管理装置（２０）と、
該汽力発電所予備品管理装置と通信回線（５０）を介して相互接続された担当者端末装置（３３）と、
を具備し、
前記全社予備品管理装置（１０）が、
前記汽力発電所予備品管理装置から予備品登録届出書が前記通信回線を介して送信されてくると、該予備品登録届出書に記載されている予備品を汽力発電所ごとに全社予備品データベース（１５）に登録する予備品登録部（１１）と、
前記汽力発電所予備品管理装置から予備品変更届出書が前記通信回線を介して送信されてくると、該予備品変更届出書に記載されている予備品を前記全社予備品データベースから削除するとともに、該予備品を汎用変更品として汽力発電所ごとに汎用変更品データベース（１６）に登録する予備品変更部（１２）とを備え、
前記汽力発電所予備品管理装置が、
前記担当者端末装置から前記通信回線を介して送信されてくる予備品申請書に記載されている予備品申請品を予備品として予備品データベース（２６）に登録するとともに、前記予備品申請書に基づいて前記予備品登録届出書を作成して、該作成した予備品登録届出書を前記通信回線を介して前記全社予備品管理装置に送信する予備品認定部（２１）と、
前記担当者端末装置から前記通信回線を介して送信されてくる予備品変更申請書に記載されている予備品を前記予備品データベースから削除するとともに、前記予備品変更申請書に基づいて前記予備品変更届出書を作成して、該作成した予備品変更届出書を前記通信回線を介して前記全社予備品管理装置に送信する、予備品見直し部（２３）とを備える、
ことを特徴とする、汽力発電所予備品管理システム。
【請求項２】
前記汽力発電所予備品管理装置と前記通信回線を介して接続された無線ＩＣタグ用センサ（４０）をさらに具備し、
前記汽力発電所予備品管理装置が、前記予備品認定部から前記予備品登録届出書が入力されると、該予備品登録届出書に記載された予備品に関する予備品データを格納した無線ＩＣタグ（６１）が取り付けられた予備品表示札（６０）を作成するとともに、前記予備品見直し部から前記予備品変更届出書が入力されると、該予備品変更届出書に記載されている予備品を前記予備品表示札を外して予備品保管場所から汎用品保管場所に移すように指示する指示書を作成する予備品保管部（２２）を備える、
ことを特徴とする請求項１記載の汽力発電所予備品管理システム。
【請求項３】
前記汽力発電所予備品管理装置が、前記無線ＩＣタグ用センサから前記通信回線を介して送信されてくるデータに基づいて、予備品が予備品保管場所から移動されたと判定すると、汎用変更品検索依頼書を作成して前記通信回線を介して前記全社予備品管理装置に送信し、「汎用変更品あり」の回答書が前記通信回線を介して前記全社予備品管理装置から送信されてくると、汎用変更品送付依頼書を作成して、該作成した汎用変更品送付依頼書を前記通信回線を介して前記担当者端末装置に送信する一方、「汎用変更品なし」の回答書が前記通信回線を介して前記全社予備品管理装置から送信されてくると、前記予備品保管場所から移動された予備品の発注伝票を作成して、該作成した発注伝票を前記通信回線を介して前記全社予備品管理装置および前記担当者端末装置に送信するとともに、前記予備品見直し部から前記予備品変更届出書が入力されると、前記無線ＩＣタグ用センサから前記通信回線を介して送信されてくる、前記予備品変更届出書に記載されている予備品に関するデータを無効なものとして取り扱う、予備品発注部（２４）をさらに備え、
前記全社予備品管理装置（１０）が、前記汎用変更品検索依頼書を前記通信回線を介して受信すると、前記汎用変更品データベースを検索して、該汎用変更品検索依頼書に記載されている予備品が他の汽力発電所の汎用変更品として登録されていないかをチェックし、前記回答書を前記通信回線を介して前記汽力発電所予備品管理装置に送信する、汎用変更品検索部（１３）をさらに備え、
前記全社予備品管理装置の前記予備品変更部が、前記通信回線を介して前記汎用変更品送付依頼書を受信すると、該汎用変更品送付依頼書に記載されている保管元の汽力発電所の汎用変更品を前記汎用変更品データベースから削除するとともに、該汎用変更品を依頼元の汽力発電所名の予備品として前記全社予備品データベースに登録する、
ことを特徴とする、請求項１または２記載の汽力発電所予備品管理システム。
【請求項４】
前記予備品データベースに、前記汽力発電所予備品管理装置が設けられた汽力発電所において認定された予備品のデータが格納されているほか、汽力発電所における予備品名および数量の全社的な基準を示す予備品基準表に基づいて作成された機器名基準テーブル，予備品テーブルおよび基準数量テーブルのデータが格納されており、
前記予備品認定部が、前記予備品データベースに格納されている前記機器名基準テーブル，前記予備品テーブルおよび前記基準数量テーブルを参照して前記予備品申請品を予備品として認定するか否かを判定する、
ことを特徴とする、請求項１乃至３いずれかに記載の汽力発電所予備品管理システム。
【請求項５】
担当者端末装置（３２）から通信回線（５０）を介して汽力発電所予備品管理装置（２０）に予備品申請書を送信するステップ（Ｓ１１）と、
前記汽力発電所予備品管理装置の予備品認定部（２１）が、前記予備品申請書を受信すると、該予備品申請書に記載されている予備品申請品を予備品として予備品データベース（２６）に登録するとともに、前記予備品申請書に基づいて予備品登録届出書を作成して、該作成した予備品登録届出書を前記通信回線を介して全社予備品管理装置（１０）に送信するステップ（Ｓ２１）と、
前記全社予備品管理装置の予備品登録部（１１）が、前記予備品登録届出書を受信すると、該予備品登録届出書に記載されている予備品を汽力発電所ごとに全社予備品データベース（１５）に登録するステップ（Ｓ２２）と、
前記担当者端末装置から前記通信回線を介して前記汽力発電所予備品管理装置に予備品変更申請書を送信するステップ（Ｓ３１）と、
前記汽力発電所予備品管理装置の予備品見直し部（２３）が、前記予備品変更申請書を受信すると、該予備品変更申請書に記載されている予備品を前記予備品データベースから削除するとともに、前記予備品変更申請書に基づいて前記予備品変更届出書を作成して、該作成した予備品変更届出書を前記通信回線を介して前記全社予備品管理装置に送信するステップ（Ｓ３４）と、
前記全社予備品管理装置の予備品変更部（１２）が、前記予備品変更届出書を受信すると、該予備品変更届出書に記載されている予備品を前記全社予備品データベースから削除するとともに、該予備品を汎用変更品として汽力発電所ごとに汎用変更品データベース（１６）に登録するステップ（Ｓ３５）と、
具備することを特徴とする、汽力発電所予備品管理方法。
【請求項６】
前記汽力発電所予備品管理装置の予備品保管部（２２）が、前記予備品認定部から前記予備品登録届出書が入力されると、該予備品登録届出書に記載された予備品に関する予備品データを格納した無線ＩＣタグ（６１）が取り付けられた予備品表示札（６０）を作成するステップ（Ｓ２３）と、
前記予備品保管部（２２）が、前記予備品見直し部から前記予備品変更届出書が入力されると、該予備品変更届出書に記載されている予備品を前記予備品表示札を外して予備品保管場所から汎用品保管場所に移すように指示する指示書を作成するステップ（Ｓ３６）と、
前記予備品保管部（２２）が、前記予備品見直し部から前記予備品変更届出書が入力されると、無線ＩＣタグ用センサ（４０）から前記通信回線を介して送信されてくるデータ無効なものとして取り扱うステップ（Ｓ３７）と、
をさらに具備する、請求項５記載の汽力発電所予備品管理方法。
【請求項７】
前記予備品発注部が、前記無線ＩＣタグ用センサから前記通信回線を介して送信されてくるデータに基づいて、予備品が予備品保管場所から移動されたと判定すると、汎用変更品検索依頼書を作成して前記通信回線を介して前記全社予備品管理装置に送信するステップ（Ｓ４１）と、
前記全社予備品管理装置（１０）の汎用変更品検索部（１３）が、前記汎用変更品検索依頼書を前記通信回線を介して受信すると、前記汎用変更品データベースを検索して、前記汎用変更品検索依頼書に記載されている予備品が他の汽力発電所の汎用変更品として登録されていないかをチェックし、チェック結果を示す回答書を前記通信回線を介して前記汽力発電所予備品管理装置に送信するステップ（Ｓ４２）と、
前記予備品発注部が、「汎用変更品あり」の回答書が前記通信回線を介して前記全社予備品管理装置から送信されてくると、汎用変更品送付依頼書を作成して、該作成した汎用変更品送付依頼書を前記通信回線を介して前記担当者端末装置に送信する一方、「汎用変更品なし」の回答書が前記通信回線を介して前記全社予備品管理装置から送信されてくると、前記予備品保管場所から移動された予備品の発注伝票を作成して、該作成した発注伝票を前記通信回線を介して前記全社予備品管理装置および前記担当者端末装置に送信するステップ（Ｓ４３，Ｓ４６）と、
前記予備品変更部が、前記汎用変更品送付依頼書を前記通信回線を介して受信すると、該汎用変更品送付依頼書に記載されている保管元の汽力発電所の汎用変更品を前記汎用変更品データベースから削除するとともに、該汎用変更品を依頼元の汽力発電所名の予備品として前記全社予備品データベースに登録するステップ（Ｓ４４）と、
をさらに具備することを特徴とする、請求項５または６記載の汽力発電所予備品管理方法。
【発明の詳細な説明】
【技術分野】
【０００１】
本発明は、汽力発電所における予備品の管理に好適な汽力発電所予備品管理システムおよび方法に関する。
【背景技術】
【０００２】
汽力発電所・ガスタービンおよび汽力発電所・火力発電技術センター（以下、「汽力発電所」と称する。）に用いる部品や用品などには、複数の汽力発電所の施設や設備に使用できる汎用品と、１つの汽力発電所の施設や設備にしか使用できない予備品とがある。汎用品は比較的容易に調達することができるが、予備品は発注しても直ぐには調達できるものは少ない。そのため、汽力発電所ごとに予備品の認定，在庫管理および発注などを行っている。
【０００３】
なお、下記の特許文献１には、予備品などの在庫管理など発電設備のメンテナンスに関する使用者側の負担を軽減し、かつ、適正な設備のメンテナンスを可能とするために、発電設備の提供者側から使用者側に適正なメンテナンス情報を提供するメンテナンス支援システムであって、在庫品の使用情報を提供者側に送信するとともにメンテナンス情報を受信して使用者に出力する使用者側送受信装置と、発電設備の運転情報を提供者側に送信する発電設備側送信装置と、送信される在庫品の使用情報と運転情報に基づいて、メンテナンス情報を生成し、使用者側送受信装置に送信する提供者側処理装置とを有するメンテナンス支援システムが開示されている。
また、下記の特許文献２には、メンテナンスセンタに自動化設備及びコンピュータなどのデータ管理設備を導入することにより、作業員の搬送作業の軽減，物品の持出し手続の簡素化および迅速化が可能となり、しかも物品の持出し管理データの一元化によるデータ管理品質の安定化，点検済予備品の履歴管理，新品の予備品の入庫履歴管理，在庫履歴管理などを通して、点検対象物品の交換周期の適正化のためのデータ蓄積，適正な新品予備品の入庫時期の決定，在庫の最適化に効果があるとする、発電設備のメンテナンス支援システムが開示されている。
【特許文献１】特開２００３−１２２８６６号公報
【特許文献２】特開２００３−１２２８６６号公報
【発明の開示】
【発明が解決しようとする課題】
【０００４】
しかしながら、ある汽力発電所において予備品と認定された部品や用品などが、規格変更やバージョンアップなどにより予備品でなくなり汎用品として取り扱うことになったが、別の汽力発電所においてはそのまま予備品として取り扱われる場合がある。このような場合には、後者の汽力発電所でこの予備品を使用して補充しようとするときには、新たにこの予備品を発注して調達するよりも、前者の汽力発電所で汎用品とされたものを取り寄せた方が早く調達できる。
したがって、汽力発電所における業務を円滑に進めるために予備品を確実に備えておけるように、各汽力発電所に備えておくべき予備品の管理を一箇所で行って予備品の調達などを効率的に行えるシステムが要請されている。
【０００５】
本発明の目的は、各汽力発電所に備えておくべき予備品の管理を一箇所で行って予備品の調達などを効率的に行うことができる汽力発電所予備品管理システムおよび方法を提供することにある。
【課題を解決するための手段】
【０００６】
本発明の汽力発電所予備品管理システムは、全社予備品管理装置（１０）と、該全社予備品管理装置と通信回線（５０）を介して相互接続された汽力発電所予備品管理装置（２０）と、該汽力発電所予備品管理装置と通信回線（５０）を介して相互接続された担当者端末装置（３３）とを具備し、前記全社予備品管理装置（１０）が、前記汽力発電所予備品管理装置から予備品登録届出書が前記通信回線を介して送信されてくると、該予備品登録届出書に記載されている予備品を汽力発電所ごとに全社予備品データベース（１５）に登録する予備品登録部（１１）と、前記汽力発電所予備品管理装置から予備品変更届出書が前記通信回線を介して送信されてくると、該予備品変更届出書に記載されている予備品を前記全社予備品データベースから削除するとともに、該予備品を汎用変更品として汽力発電所ごとに汎用変更品データベース（１６）に登録する予備品変更部（１２）とを備え、前記汽力発電所予備品管理装置が、前記担当者端末装置から前記通信回線を介して送信されてくる予備品申請書に記載されている予備品申請品を予備品として予備品データベース（２６）に登録するとともに、前記予備品申請書に基づいて前記予備品登録届出書を作成して、該作成した予備品登録届出書を前記通信回線を介して前記全社予備品管理装置に送信する予備品認定部（２１）と、前記担当者端末装置から前記通信回線を介して送信されてくる予備品変更申請書に記載されている予備品を前記予備品データベースから削除するとともに、前記予備品変更申請書に基づいて前記予備品変更届出書を作成して、該作成した予備品変更届出書を前記通信回線を介して前記全社予備品管理装置に送信する、予備品見直し部（２３）とを備えることを特徴とする。
ここで、前記汽力発電所予備品管理装置と前記通信回線を介して接続された無線ＩＣタグ用センサ（４０）をさらに具備し、前記汽力発電所予備品管理装置が、前記予備品認定部から前記予備品登録届出書が入力されると、該予備品登録届出書に記載された予備品に関する予備品データを格納した無線ＩＣタグ（６１）が取り付けられた予備品表示札（６０）を作成するとともに、前記予備品見直し部から前記予備品変更届出書が入力されると、該予備品変更届出書に記載されている予備品を前記予備品表示札を外して予備品保管場所から汎用品保管場所に移すように指示する指示書を作成する予備品保管部（２２）を備えてもよい。
また、前記汽力発電所予備品管理装置が、前記無線ＩＣタグ用センサから前記通信回線を介して送信されてくるデータに基づいて、予備品が予備品保管場所から移動されたと判定すると、汎用変更品検索依頼書を作成して前記通信回線を介して前記全社予備品管理装置に送信し、「汎用変更品あり」の回答書が前記通信回線を介して前記全社予備品管理装置から送信されてくると、汎用変更品送付依頼書を作成して、該作成した汎用変更品送付依頼書を前記通信回線を介して前記担当者端末装置に送信する一方、「汎用変更品なし」の回答書が前記通信回線を介して前記全社予備品管理装置から送信されてくると、前記予備品保管場所から移動された予備品の発注伝票を作成して、該作成した発注伝票を前記通信回線を介して前記全社予備品管理装置および前記担当者端末装置に送信するとともに、前記予備品見直し部から前記予備品変更届出書が入力されると、前記無線ＩＣタグ用センサから前記通信回線を介して送信されてくる、前記予備品変更届出書に記載されている予備品に関するデータを無効なものとして取り扱う、予備品発注部（２４）をさらに備え、前記全社予備品管理装置（１０）が、前記汎用変更品検索依頼書を前記通信回線を介して受信すると、前記汎用変更品データベースを検索して、該汎用変更品検索依頼書に記載されている予備品が他の汽力発電所の汎用変更品として登録されていないかをチェックし、前記回答書を前記通信回線を介して前記汽力発電所予備品管理装置に送信する、汎用変更品検索部（１３）をさらに備え、前記全社予備品管理装置の前記予備品変更部が、前記通信回線を介して前記汎用変更品送付依頼書を受信すると、該汎用変更品送付依頼書に記載されている保管元の汽力発電所の汎用変更品を前記汎用変更品データベースから削除するとともに、該汎用変更品を依頼元の汽力発電所名の予備品として前記全社予備品データベースに登録してもよい。
さらに、前記予備品データベースに、前記汽力発電所予備品管理装置が設けられた汽力発電所において認定された予備品のデータが格納されているほか、汽力発電所における予備品名および数量の全社的な基準を示す予備品基準表に基づいて作成された機器名基準テーブル，予備品テーブルおよび基準数量テーブルのデータが格納されており、前記予備品認定部が、前記予備品データベースに格納されている前記機器名基準テーブル，前記予備品テーブルおよび前記基準数量テーブルを参照して前記予備品申請品を予備品として認定するか否かを判定してもよい。
【０００７】
本発明の汽力発電所予備品管理方法は、担当者端末装置（３２）から通信回線（５０）を介して汽力発電所予備品管理装置（２０）に予備品申請書を送信するステップ（Ｓ１１）と、前記汽力発電所予備品管理装置の予備品認定部（２１）が、前記予備品申請書を受信すると、該予備品申請書に記載されている予備品申請品を予備品として予備品データベース（２６）に登録するとともに、前記予備品申請書に基づいて予備品登録届出書を作成して、該作成した予備品登録届出書を前記通信回線を介して全社予備品管理装置（１０）に送信するステップ（Ｓ２１）と、前記全社予備品管理装置の予備品登録部（１１）が、前記予備品登録届出書を受信すると、該予備品登録届出書に記載されている予備品を汽力発電所ごとに全社予備品データベース（１５）に登録するステップ（Ｓ２２）と、前記担当者端末装置から前記通信回線を介して前記汽力発電所予備品管理装置に予備品変更申請書を送信するステップ（Ｓ３１）と、前記汽力発電所予備品管理装置の予備品見直し部（２３）が、前記予備品変更申請書を受信すると、該予備品変更申請書に記載されている予備品を前記予備品データベースから削除するとともに、前記予備品変更申請書に基づいて前記予備品変更届出書を作成して、該作成した予備品変更届出書を前記通信回線を介して前記全社予備品管理装置に送信するステップ（Ｓ３４）と、前記全社予備品管理装置の予備品変更部（１２）が、前記予備品変更届出書を受信すると、該予備品変更届出書に記載されている予備品を前記全社予備品データベースから削除するとともに、該予備品を汎用変更品として汽力発電所ごとに汎用変更品データベース（１６）に登録するステップ（Ｓ３５）と具備することを特徴とする。
ここで、前記汽力発電所予備品管理装置の予備品保管部（２２）が、前記予備品認定部から前記予備品登録届出書が入力されると、該予備品登録届出書に記載された予備品に関する予備品データを格納した無線ＩＣタグ（６１）が取り付けられた予備品表示札（６０）を作成するステップ（Ｓ２３）と、前記予備品保管部（２２）が、前記予備品見直し部から前記予備品変更届出書が入力されると、該予備品変更届出書に記載されている予備品を前記予備品表示札を外して予備品保管場所から汎用品保管場所に移すように指示する指示書を作成するステップ（Ｓ３６）と、前記予備品保管部（２２）が、前記予備品見直し部から前記予備品変更届出書が入力されると、無線ＩＣタグ用センサ（４０）から前記通信回線を介して送信されてくるデータ無効なものとして取り扱うステップ（Ｓ３７）とをさらに具備してもよい。
また、前記予備品発注部が、前記無線ＩＣタグ用センサから前記通信回線を介して送信されてくるデータに基づいて、予備品が予備品保管場所から移動されたと判定すると、汎用変更品検索依頼書を作成して前記通信回線を介して前記全社予備品管理装置に送信するステップ（Ｓ４１）と、前記全社予備品管理装置（１０）の汎用変更品検索部（１３）が、前記汎用変更品検索依頼書を前記通信回線を介して受信すると、前記汎用変更品データベースを検索して、前記汎用変更品検索依頼書に記載されている予備品が他の汽力発電所の汎用変更品として登録されていないかをチェックし、チェック結果を示す回答書を前記通信回線を介して前記汽力発電所予備品管理装置に送信するステップ（Ｓ４２）と、前記予備品発注部が、「汎用変更品あり」の回答書が前記通信回線を介して前記全社予備品管理装置から送信されてくると、汎用変更品送付依頼書を作成して、該作成した汎用変更品送付依頼書を前記通信回線を介して前記担当者端末装置に送信する一方、「汎用変更品なし」の回答書が前記通信回線を介して前記全社予備品管理装置から送信されてくると、前記予備品保管場所から移動された予備品の発注伝票を作成して、該作成した発注伝票を前記通信回線を介して前記全社予備品管理装置および前記担当者端末装置に送信するステップ（Ｓ４３，Ｓ４６）と、前記予備品変更部が、前記汎用変更品送付依頼書を前記通信回線を介して受信すると、該汎用変更品送付依頼書に記載されている保管元の汽力発電所の汎用変更品を前記汎用変更品データベースから削除するとともに、該汎用変更品を依頼元の汽力発電所名の予備品として前記全社予備品データベースに登録するステップ（Ｓ４４）とをさらに具備してもよい。
【０００８】
なお、「予備品」とは、次の事項に該当するものをいう。
（１）当該設備のみに使用が限定され、他に流用するような汎用性のないもの。
（２）購入発注しても直ちに製作調達することが困難であるもの。
（３）円滑な運転を図るために常備すべき最低限度のもの。
（４）予備品名、仕様および数量を所定の責任者が認定したもの。
【発明の効果】
【０００９】
本発明の汽力発電所予備品管理システムおよび方法は、以下の効果を奏する。
（１）汽力発電所において予備品が認定されると、汽力発電所予備品管理装置から通信回線を介して予備品登録届出書を全社予備品管理装置に送信し、全社予備品管理装置に設けた全社予備品データベースに、予備品登録届出書に記載されている予備品を汽力発電所ごとに登録することにより、各汽力発電所に備えておくべき予備品の管理を一箇所で行うことができる。
（２）汽力発電所予備品管理装置から予備品変更届出書が通信回線を介して送信されてくると、予備品変更届出書に記載されている予備品を汎用変更品として汽力発電所ごとに汎用変更品データベースに登録することにより、ある汽力発電所で予備品を発注する際に、汎用変更品データベースに他の汽力発電所の汎用変更品が登録されている場合には、この汎用変更品を送付してもらうことにより、調達に時間がかかる予備品を効率的に入手することができる。
（３）無線ＩＣタグが取り付けられた予備品表示札を予備品に付して予備品保管場所に保管する場合に、予備品が予備品保管場所から移されたときにこの予備品の発注業務を自動的に開始するようにしたとしても、予備品が汎用品に変更されたときには無線ＩＣタグ用センサから送信されてくるデータ無効なものとして取り扱うことにより、予備品表示札が付されたまま予備品が予備品保管場所から汎用品保管場所に移されても、予備品の発注業務を開始しないようにすることができる。
【発明を実施するための最良の形態】
【００１０】
各汽力発電所に備えておくべき予備品の管理を一箇所で行って予備品の調達などを効率的に行うという目的を、汽力発電所予備品管理装置から送信されてくる予備品登録届出書に記載されている予備品を汽力発電所ごとに全社予備品データベースに登録するとともに、汽力発電所予備品管理装置から送信されてくる予備品変更届出書に記載されている予備品を汎用変更品として汽力発電所ごとに汎用変更品データベースに登録することにより実現した。
【実施例１】
【００１１】
以下、本発明の汽力発電所予備品管理システムおよび方法の実施例について図面を参照して説明する。
本発明の一実施例による汽力発電所予備品管理システム１は、図１に示すように、全社予備品管理装置１０と、汽力発電所予備品管理装置２０と、責任者端末装置３１と、担当者端末装置３２と、資材部端末装置３３と、無線ＩＣタグ用センサ４０とを含んでいる。
【００１２】
全社予備品管理装置１０は、全社的に一箇所に設けられるものであり、予備品登録部１１と、予備品変更部１２と、汎用変更品検索部１３と、通信部１４と、全社予備品データベース１５と、汎用変更品データベース１６とを含んでいる。ここで、通信部１４は、予備品登録部１１と予備品変更部１２と汎用変更品検索部１３とに接続されている。全社予備品データベース１５は、予備品登録部１１と予備品変更部１２とに接続されている。汎用変更品データベース１６は、予備品変更部１２と汎用変更品検索部１３とに接続されている。
汽力発電所予備品管理装置２０は、汽力発電所ごとに設けられるものであり、予備品認定部２１と、予備品保管部２２と、予備品見直し部２３と、予備品発注部２４と、通信部２５と、予備品データベース２６とを含んでいる。ここで、予備品保管部２２は、予備品認定部２１と予備品見直し部２３と接続されている。予備品発注部２４は、予備品見直し部２３と接続されている。通信部２５は、予備品認定部２１と予備品保管部２２と予備品見直し部２３と予備品発注部２４とに接続されている。予備品データベース２６は、予備品認定部２１と予備品見直し部２３とに接続されている。
なお、全社予備品管理装置１０の通信部１４と汽力発電所予備品管理装置２０の通信部２５と責任者端末装置３１と担当者端末装置３２と資材部端末装置３３と無線ＩＣタグ用センサ４０とは社内ＬＡＮなどの通信回線５０を介して相互接続されている。
【００１３】
全社予備品管理装置１０の全社予備品データベース１５には、各汽力発電所において予備品として認定されかつ予備品登録部１１により登録された予備品のデータが、汽力発電所ごとに格納されている。
全社予備品管理装置１０の汎用変更品データベース１６には、各汽力発電所において予備品から汎用品に変更されかつ予備品変更部１２により登録された部品や用品など（以下、「汎用変更品」と称する。）のデータが格納されている。
【００１４】
汽力発電所予備品管理装置２０の予備品データベース２６には、汽力発電所予備品管理装置２０が設けられた汽力発電所において認定された予備品のデータが格納されているほか、汽力発電所における予備品名および数量の全社的な基準を示す予備品基準表に基づいて作成された機器名基準テーブル，予備品テーブルおよび基準数量テーブルのデータが格納されている。ここで、機器名基準テーブルは、各機器を目ごとに分けかつ機器コードを付して分類したものである。予備品テーブルは、各予備品を予備品コードを付して分類したものである。基準数量テーブルは、各予備品の基準数量を機器コードおよび予備品コードごとに分類したものである。表１から表３に、機器名基準テーブル，予備品テーブルおよび基準数量テーブルの一例をそれぞれ示す。
【表１】
2006221318.tif 000003
【表２】
2006221318.tif 000004
【表３】
2006221318.tif 000005
【００１５】
汽力発電所予備品管理装置２０の予備品認定部２１は、予備品認定申請書を担当者端末装置３２から通信回線５０および通信部２５を介して受信すると、予備品データベース２６に格納されている機器名基準テーブル，予備品テーブルおよび基準数量テーブルを参照して、申請のあった部品など（以下、「予備品申請品」と称する。）を予備品として認定するか否かを判定したのち、判定結果を通信部２５および通信回線５０を介して責任者端末装置３１に送信する。
また、予備品認定部２１は、「予備品認定申請書を承認する」旨を責任者端末装置３１から通信回線５０および通信部２５を介して受信すると、予備品認定申請書に基づいて予備品登録届出書を作成し、作成した予備品登録届出書を予備品保管部２２に出力するとともに通信回線５０および通信部２５を介して全社予備品管理装置１０に送信する。
【００１６】
汽力発電所予備品管理装置２０の予備品保管部２２は、予備品認定部２１から予備品登録届出書が入力されると、図２に示すような無線ＩＣタグ６１が取り付けられた予備品表示札６０を作成する。ここで、無線ＩＣタグ６１には、予備品表示札６０に表示される「目」，「予備品名」，「用途」，「仕様」，「定数」，「備考」および「担当」のほかに識別番号および保管場所などの予備品に関する予備品データが格納される。なお、予備品申請品は、予備品保管部２２により作成された予備品表示札６０が取り付けられて、予備品保管場所に保管される。
また、予備品保管部２２は、予備品見直し部２３から後述の予備品変更届出書が入力されると、予備品変更届出書に記載されている予備品を、予備品表示札６０を外して予備品保管場所から汎用品保管場所に移すように指示する指示書を作成する。
【００１７】
汽力発電所予備品管理装置２０の予備品見直し部２３は、予備品変更申請書を担当者端末装置３２から通信回線５０および通信部２５を介して受信すると、予備品変更申請書を通信回線５０および通信部２５を介して責任者端末装置３１に転送する。
また、予備品見直し部２３は、「予備品変更申請書を承認する」旨を責任者端末装置３１から通信回線５０および通信部２５を介して受信すると、予備品変更申請書に記載されている予備品を予備品データベース２６から削除するとともに、予備品変更申請書に基づいて予備品変更届出書を作成して、作成した予備品変更届出書を予備品保管部２２および予備品発注部２４に出力するとともに通信回線５０および通信部２５を介して全社予備品管理装置１０に送信する。
【００１８】
汽力発電所予備品管理装置２０の予備品発注部２４は、無線ＩＣタグ用センサ４０から通信回線５０および通信部２５を介して送信されてくるデータに基づいて、ある予備品が予備品保管場所から移動されたと判定すると、汎用変更品検索依頼書を作成して、作成した汎用変更品検索依頼書を通信部２５および通信回線５０を介して全社予備品管理装置１０に送信する。
また、予備品発注部２４は、「汎用変更品あり」の回答書が通信回線５０および通信部２５を介して全社予備品管理装置１０から送信されてくると、汎用変更品送付依頼書を作成して、作成した汎用変更品送付依頼書を通信部２５および通信回線５０を介して全社予備品管理装置１０，責任者端末装置３１，担当者端末装置３２および資材部端末装置３３に送信する。
一方、予備品発注部２４は、「汎用変更品なし」の回答書が通信回線５０および通信部２５を介して全社予備品管理装置１０から送信されてくると、この予備品の発注伝票を作成して、作成した発注伝票を通信部２５および通信回線５０を介して責任者端末装置３１，担当者端末装置３２および資材部端末装置３３に送信する。
さらに、予備品発注部２４は、予備品見直し部２３から予備品変更届出書が入力されると、予備品変更届出書に記載されている予備品に取り付けられている予備品表示札６０の無線ＩＣタグ６１から送信されてくるデータを無効なものとして取り扱う。
【００１９】
全社予備品管理装置１０の予備品登録部１１は、通信部１４を介して予備品登録届出書を受信すると、予備品登録届出書に記載されている予備品を、予備品登録届出書に記載されている汽力発電所の予備品として全社予備品データベース１５に登録する。
【００２０】
全社予備品管理装置１０の予備品変更部１２は、通信部１４を介して予備品変更届出書を受信すると、予備品変更届出書に記載されている汽力発電所の予備品を全社予備品データベース１５から削除するとともに、その予備品をこの汽力発電所の汎用変更品として汎用変更品データベース１６に登録する。
また、予備品変更部１２は、通信部１４を介して汎用変更品送付依頼書を受信すると、汎用変更品送付依頼書に記載されている保管元の汽力発電所の汎用変更品を汎用変更品データベース１６から削除するとともに、この汎用変更品を依頼元の汽力発電所名の予備品として全社予備品データベース１５に登録する。
【００２１】
全社予備品管理装置１０の汎用変更品検索部１３は、通信部１４を介して汎用変更品検索依頼書を受信すると、汎用変更品データベース１６を検索して、汎用変更品検索依頼書に記載された予備品が他の汽力発電所の汎用変更品として登録されていないかをチェックし、チェック結果を示す回答書を通信部１４および通信回線５０を介して汽力発電所予備品管理装置２０に送信する。
【００２２】
全社予備品管理装置１０の通信部１４および汽力発電所予備品管理装置２０の通信部２５は、全社予備品管理装置１０と汽力発電所予備品管理装置２０との間の通信回線５０を介した通信を制御する。
【００２３】
以下、本実施例による汽力発電所予備品管理システム１の動作（本発明の一実施例による汽力発電所予備品管理方法）について、図３から図６に示すフローチャートを参照して説明する。
（予備品の認定）
汽力発電所の担当者は、たとえば、「汽かん装置の過熱器の安全弁」を予備品として認定を受けようとする場合には、認定を受けようとする「汽かん装置の過熱器の安全弁」の部品名，用途，仕様および数量などを記載した予備品認定申請書を担当者端末装置３２から汽力発電所予備品管理装置２０に送信する（ステップＳ１１）。
【００２４】
汽力発電所予備品管理装置２０の予備品認定部２１は、通信部２５を介して予備品認定申請書を受信すると、予備品認定申請書に記載された部品名（汽かん装置の過熱器の安全弁）に基づいて予備品データベース２６に格納されている機器名基準テーブル（表１参照）および予備品テーブル（表２参照）を検索して、「汽かん装置の過熱器の安全弁」の機器コード「Ｋ０２」および予備品コード「Ｙ０１」を取得するとともに、取得した機器コード「Ｋ０２」および予備品コード「Ｙ０１」に基づいて予備品データベース２６に格納されている基準数量テーブル（表３参照）を検索して、「汽かん装置の過熱器の安全弁」の基準数量を取得する。その後、予備品認定部２１は、予備品認定申請書に記載されている数量が、取得した基準数量を満たすか否かを判定する（ステップＳ１２）。
【００２５】
予備品認定部２１は、予備品認定申請書に記載されている数量が基準数量を満たしている場合には、「汽かん装置の過熱器の安全弁」が以下に示す所定の基準をすべて満たすか否かを判定する（ステップＳ１３）。
（１）当該設備のみに使用が限定されること
（２）他に流用するような汎用性がないこと
（３）購入発注しても直ちに製作調達することが困難であること
（４）円滑な運転を図るために常備すべき最低限度のものであること
（５）当該設備の稼働率，重要度および取替経歴より必要性が高いこと
（６）適切な処理を施すことにより再使用ができること
（７）予備品基準表にないものについては、発電所の特殊性に合致していること
【００２６】
予備品認定部２１は、「汽かん装置の過熱器の安全弁」が所定の基準をすべて満たしている場合には、予備品認定申請書および判定結果を責任者端末装置３１に送信する（ステップＳ１４）。
【００２７】
予備品認定責任者は、通信回線５０を介して受信した予備品認定申請書および判定結果をチェックし、チェック結果を責任者端末装置３１から汽力発電所予備品管理装置２０に送信する（ステップＳ１５）。
【００２８】
予備品認定部２１は、ステップＳ１２およびステップＳ１３における判定結果が「ＮＯ」である場合、また、ステップＳ１５において「予備品認定申請書を却下する」旨を受信した場合には、「汽かん装置の過熱器の安全弁を予備品として認定しない」旨を担当者端末装置３２に送信する（ステップＳ１６）。
【００２９】
（予備品の登録・保管）
一方、予備品認定部２１は、通信部２５を介して「予備品認定申請書を承認する」旨を受信すると、認定の申請があった「汽かん装置の過熱器の安全弁」を予備品として予備品データベース２５に登録する。また、予備品認定部２１は、予備品認定申請書に基づいて、汽力発電所名と、予備品として登録する「汽かん装置の過熱器の安全弁」の部品名，用途，仕様および数量などと、担当者と、予備品認定責任者とを記載した予備品登録届出書を作成して、作成した予備品登録届出書を予備品保管部２２に出力するとともに全社予備品管理装置１０に送信する（図４のステップＳ２１）。
【００３０】
全社予備品管理装置１０の予備品登録部１１は、通信部１４を介して予備品登録届出書を受信すると、予備品登録届出書に記載されている「汽かん装置の過熱器の安全弁」を、予備品登録申請書に記載されている汽力発電所の予備品として全社予備品データベース１５に登録する（ステップＳ２２）。
【００３１】
また、汽力発電所予備品管理装置２０の予備品保管部２２は、予備品登録届出書が入力されると、図２に示すような無線ＩＣタグ６１が取り付けられた予備品表示札６０を作成する（ステップＳ２３）。その後、申請のあった「汽かん装置の過熱器の安全弁」は、予備品表示札６０を取り付けられて、予備品保管場所に保管される。
【００３２】
（予備品の汎用品への変更）
汽力発電所の担当者は、その後の取替経歴，稼働率および設備の変更などのその汽力発電所特有の事情により、たとえば、予備品として予備品データベース２６に登録してある「汽かん装置の過熱器の安全弁」を汎用品に変更する場合には、その予備品名（汽かん装置の過熱器の安全弁）などを記載した予備品変更申請書を担当者端末装置３２から汽力発電所予備品管理装置２０に送信する（ステップＳ３１）。
【００３３】
汽力発電所予備品管理装置２０の予備品見直し部２３は、通信部２５を介して予備品変更申請書を受信すると、予備品変更申請書を責任者端末装置３１に転送する（ステップＳ３２）。
【００３４】
予備品認定責任者は、受信した予備品変更申請書をチェックして、承認する場合には、その旨を責任者端末装置３１から汽力発電所予備品管理装置２０に送信する（ステップＳ３３）。
【００３５】
予備品見直し部２３は、通信部２５を介して「予備品変更申請書を承認する」旨を受信すると、申請のあった「汽かん装置の過熱器の安全弁」を予備品データベース２６から削除するとともに、予備品変更申請書に基づいて、汽力発電所名，汎用品に変更する予備品名（汽かん装置の過熱器の安全弁），担当者および予備品認定責任者などを記載した予備品変更届出書を作成して、作成した予備品変更届出書を予備品保管部２２に出力するとともに全社予備品管理装置１０に送信する（ステップＳ３４）。
【００３６】
全社予備品管理装置１０の予備品変更部１２は、通信部１４を介して予備品変更届出書を受信すると、予備品変更届出書に記載されている汽力発電所の予備品「汽かん装置の過熱器の安全弁」を全社予備品データベース１５から削除するとともに、「汽かん装置の過熱器の安全弁」をその汽力発電所の汎用変更品として汎用変更品データベース１６に登録する（ステップＳ３５）。
【００３７】
汽力発電所予備品管理装置２０の予備品保管部２２は、予備品見直し２３から予備品変更届出書が入力されると、予備品変更届出書に記載されている「汽かん装置の過熱器の安全弁」を、予備品表示札６０を外して予備品保管場所から汎用品保管場所に移すように指示する指示書を作成する（ステップＳ３６）。
【００３８】
汽力発電所予備品管理装置２０の予備品発注部２３は、予備品見直し２３から予備品変更届出書が入力されると、無線ＩＣタグ用センサ４０から送信されてくる、この予備品変更届出書に記載されている「汽かん装置の過熱器の安全弁」に関するデータを無効なものとして取り扱う（ステップＳ３７）。これにより、その後に「汽かん装置の過熱器の安全弁」が予備品表示札６０を取り付けられたまま予備品保管場所から汎用品保管場所に移されても、予備品発注部２３が後述の予備品の発注伝票の作成をすることを防ぐことができる。
【００３９】
（予備品の発注）
汽力発電所予備品管理装置２０の予備品発注部２４は、無線ＩＣタグ用センサ４０から通信回線５０および通信部２５を介して定期的に送信されてくるデータに基づいて、予備品である「汽かん装置の過熱器の安全弁」が使用のために予備品保管場所から移動されたと判定すると、この予備品（汽かん装置の過熱器の安全弁）が汎用変更品データベース１６に登録されていないか否かを問合せるための汎用変更品検索依頼書を作成して、作成した汎用変更品検索依頼書を全社予備品管理装置１０に送信する（ステップＳ４１）。
【００４０】
全社予備品管理装置１０の汎用変更品検索部１３は、通信部１４を介して汎用変更品検索依頼書を受信すると、汎用変更品データベース１６を検索して、汎用変更品検索依頼書に記載されている予備品（汽かん装置の過熱器の安全弁）が、他の汽力発電所の汎用変更品として登録されていないかをチェックし、チェック結果を示す回答書を汽力発電所予備品管理装置２０に送信する（ステップＳ４２）。
【００４１】
予備品発注部２４は、通信部１５を介して「汎用変更品（汽かん装置の過熱器の安全弁）あり」の回答書を受信すると、依頼元の汽力発電所名，保管元の汽力発電所名および送付してもらう汎用変更品（汽かん装置の過熱器の安全弁）などを記載した汎用変更品送付依頼書を作成して、作成した汎用変更品送付依頼書を全社予備品管理装置１０，担当者端末装置３２および資材部端末装置３０に送信する（ステップＳ４３）。
【００４２】
全社予備品管理装置１０の予備品変更部１２は、通信部１４を介して汎用変更品送付依頼書を受信すると、汎用変更品送付依頼書に記載されている保管元の汽力発電所の汎用変更品（汽かん装置の過熱器の安全弁）を汎用変更品データベース１６から削除するとともに、その汎用変更品（汽かん装置の過熱器の安全弁）を依頼元の汽力発電所名の予備品として全社予備品データベース１５に登録する（ステップＳ４４）。
【００４３】
担当者および資材部の担当者は、担当者端末装置３２および資材部端末装置３０により受信された汎用変更品送付依頼書を確認して、予備品（汽かん装置の過熱器の安全弁）の外部業者への発注を中止する（ステップＳ４５）。
【００４４】
一方、全社予備品管理装置１０の予備品発注部２４は、通信部２５を介して「汎用変更品（汽かん装置の過熱器の安全弁）なし」の回答書を受信すると、予備品（汽かん装置の過熱器の安全弁）の発注伝票を作成して、作成した発注伝票を担当者端末装置３２および資材部端末装置３３に送信する（ステップＳ４６）。
【００４５】
資材部担当者は、発注伝票を受信すると、担当者に確認したのち、この発注伝票を用いて外部業者に予備品（汽かん装置の過熱器の安全弁）を発注する（ステップＳ４７）。
【産業上の利用可能性】
【００４６】
以上説明したように、本発明の汽力発電所予備品管理システムおよび方法は、汽力発電所における予備品の管理システムとして使用することができる。
【図面の簡単な説明】
【００４７】
【図１】本発明の一実施例による汽力発電所予備品管理システムを説明するための概略ブロック図である。（実施例１）
【図２】予備品に取り付けられる予備品表示札の一例を示す図である。（実施例１）
【図３】図１に示した汽力発電所予備品管理システム１の予備品の認定動作を説明するためのフローチャートである。（実施例１）
【図４】図１に示した汽力発電所予備品管理システム１の予備品の登録・保管動作を説明するためのフローチャートである。（実施例１）
【図５】図１に示した汽力発電所予備品管理システム１の予備品の汎用品への変更動作を説明するためのフローチャートである。（実施例１）
【図６】図１に示した汽力発電所予備品管理システム１の予備品の発注動作を説明するためのフローチャートである。（実施例１）
【符号の説明】
【００４８】
１  汽力発電所予備品管理システム
１０  全社予備品管理装置
１１  予備品登録部
１２  予備品変更部
１３  汎用変更品検索部
１４  通信部
１５  全社予備品データベース
１６  汎用変更品データベース
２０  汽力発電所予備品管理装置
２１  予備品認定部
２２  予備品保管部
２３  予備品見直し部
２４  予備品発注部
２５  通信部
２６  予備品データベース
３１  責任者端末装置
３２  当者端末装置
３３  資材部端末装置
４０  無線ＩＣタグ用センサ
６０  予備品表示札
６１  無線ＩＣタグ
Ｓ１１〜Ｓ１６，Ｓ２１〜Ｓ２３，Ｓ３１〜Ｓ３７，Ｓ４１〜Ｓ４７  ステップ
【図１】
2006221318.tif 000006
【図２】
2006221318.tif 000007
【図３】
2006221318.tif 000008
【図４】
2006221318.tif 000009
【図５】
2006221318.tif 000010
【図６】
2006221318.tif 000011